(57)【要約】【課題】リング状のアンテナを用いる場合でも、時計の平面方向のサイズを小さくすることのできる時計を提供する。【解決手段】地板１２５に第１固定用凸部１２５ａ及び第２固定用凸部１２５ｂを設け、ソーラーパネル１３５の固定用凸部１３５ａ，１３５ｂと、第１固定用凸部１２５ａ及び第２固定用凸部１２５ｂとを係合させ、第２固定用凸部１２５ｂと文字板１１の固定用凸部１１ａ，１１ｂとを係合させることにより、ソーラーパネル１３５と文字板１１を地板１２５に取り付ける。アンテナ体１１０の内周には、第１固定用凸部１２５ａ及び第２固定用凸部１２５ｂに対応する位置に切欠き部１１１を設け、上記固定用凸部１３５ａ，１３５ｂと第１固定用凸部１２５ａ及び第２固定用凸部１２５ｂとの係合部、及び第２固定用凸部１２５ｂと固定用凸部１１ａ，１１ｂとの係合部を切欠き部１１１に収納する。【選択図】図１１
2015169609.tif 000002
【特許請求の範囲】
【請求項１】
第１の構造体と、
第２の構造体と、
前記第１の構造体を固定する第１固定部と、
前記第２の構造体を固定する第２固定部と、
リング状のアンテナと、を有し、
前記リング状のアンテナの内周には、前記第１固定部及び前記第２固定部が収納される切欠き部を備える、
ことを特徴とする時計。
【請求項２】
前記第１の構造体と前記第２の構造体とは、前記アンテナの半径方向に垂直な方向の断面視の上下方向において積層されており、前記第１固定部と前記第２固定部とは少なくとも一部が共通化されている、
ことを特徴とする請求項１に記載の時計。
【請求項３】
第３の構造体を備え、前記第３の構造体を固定する第３固定部は、前記切欠き部に収納されている、
ことを特徴とする請求項１または請求項２に記載の時計。
【請求項４】
前記アンテナの半径方向における前記切欠き部の奥行きは、前記アンテナの半径方向における前記アンテナの幅の１／２以内に設定されている、
ことを特徴とする請求項１乃至請求項３のいずれか１項に記載の時計。
【請求項５】
前記切欠き部は、前記アンテナの半径方向に垂直な方向の断面視の上下方向において前記アンテナの上面から下面までを貫通する切欠きを備えている、
ことを特徴とする請求項１乃至請求項４のいずれか１項に記載の時計。
【請求項６】
前記アンテナには、無給電の第１アンテナパターンと、給電が行われる第２アンテナパターンとが設けられており、
前記切欠き部は、前記第２アンテナパターンの給電部から反時計回りの所定の長さの領域外に設けられている、
ことを特徴とする請求項１乃至請求項５のいずれか１項に記載の時計。
【発明の詳細な説明】
【技術分野】
【０００１】
本発明は、リング状のアンテナ体を備えた時計に関する。
【背景技術】
【０００２】
ＧＰＳ衛星からの電波情報を取得し正確な時刻を表示するＧＰＳ時計において、電波を受信するためリング状のアンテナを用いた時計が提案されている（例えば、特許文献１）。リング状のアンテナは、棒状のアンテナや円弧状のアンテナに比べて、アンテナ受信面積が大きくなり、より良好に電波を受信することができる。
【先行技術文献】
【特許文献】
【０００３】
【特許文献１】特開２０１１−２１９２９号公報
【発明の概要】
【発明が解決しようとする課題】
【０００４】
しかしながら、リング状のアンテナは、時計の上方に設置する必要があるが、時計の上方には、文字板、ダイヤルリング、ソーラーパネル等の部品が存在し、リング状のアンテナとこれらの部品が同平面に並ぶことになり、時計の平面方向のサイズが大きくなる場合があった。
【０００５】
本発明は、上述した事情に鑑みてなされたものであり、リング状のアンテナを用いる場合でも、時計の平面方向のサイズを小さくすることのできる時計を提供することを解決課題としている。
【課題を解決するための手段】
【０００６】
以上の課題を解決するため、本発明に係る時計は、第１の構造体と、第２の構造体と、前記第１の構造体を固定する第１固定部と、前記第２の構造体を固定する第２固定部と、
リング状のアンテナと、を有し、前記リング状のアンテナの内周には、前記第１固定部及び前記第２固定部が収納される切欠き部を備えることを特徴とする。
【０００７】
本発明によれば、リング状のアンテナは、第１の構造体と第２の構造体の外周に配置されるが、第１の構造体の第１固定部と、第２の構造体の第２固定部は、リング状のアンテナの内周に備えられた切欠き部に収納される。したがって、リング状のアンテナの内周位置を、第１の構造体と第２の構造体に近い位置に設定することができ、時計の平面方向におけるサイズを減少させることができる。本発明において、「リング状」とは、平面視で円形のみでなく、正方形や他の多角形状を含む。例えば、時計の外形形状に沿った形状であると、アンテナ内部の空間を有効に活用できて好ましい。
【０００８】
上述した時計において、前記第１の構造体と前記第２の構造体とは、前記アンテナの半径方向に垂直な方向の断面視の上下方向において積層されており、前記第１固定部と前記第２固定部は少なくとも一部が共通化されていてもよい。この場合には、共通化された第１固定部と第２固定部を切欠き部に収納するので、切欠き部に他の構造体の固定部も収納可能になる。
【０００９】
上述した時計において、第３の構造体を備え、前記第３の構造体を固定する第３固定部は、前記切欠き部に収納されているようにしてもよい。この場合には、第１固定部及び第２固定部と共に第３固定部を切欠き部により収納するので、アンテナの半径方向におけるサイズをより一層減少させることができる。
【００１０】
上述した時計において、前記アンテナの半径方向における前記切欠き部の奥行きは、前記アンテナの半径方向における前記アンテナの幅の１／２以内に設定することが好ましい。この場合には、切欠き部を設ける場合でも、アンテナに形成するアンテナパターンの幅を確保することができ、電波を良好に受信することができる。
【００１１】
上述した時計において、前記切欠き部は、前記アンテナの半径方向に垂直な方向の断面視の上下方向において前記アンテナの上面から下面までを貫通する切欠きを備えていてもよい。この場合には、切欠き部は、前記断面視の上下方向においてアンテナの上面から下面までを貫通する切欠きを備えているので、アンテナと構造体の取り付け順序の自由度を高めることができる。また、アンテナを構造体よりも先に取り付ける場合には、アンテナに係る検査等の処理を早い段階で行うことができるので、生産効率が向上する。
【００１２】
上述した時計において、前記アンテナには、無給電の第１アンテナパターンと、給電が行われる第２アンテナパターンが設けられており、前記切欠き部は、前記第２アンテナパターンの給電部から反時計回りの所定の長さの領域外に設けることが好ましい。この場合には、電波の受信に必要な第２アンテナパターンの長さが確保されるので、電波の良好な受信が行われる。
【図面の簡単な説明】
【００１３】
【図１】本発明の実施形態に係る電子時計を含むＧＰＳの全体図である。
【図２】電子時計の全体を示す斜視図である。
【図３】電子時計の全体を示す６面図である。
【図４】電子時計の概略を示す部分断面図である。
【図５】電子時計の外観を示す概略平面図である。
【図６】電子時計の電気制御ブロック図である。
【図７】アンテナ体の外観を示す平面図である。
【図８】アンテナ体、文字板、ソーラーパネル、地板、及び地板受けリングを示す展開斜視図である。
【図９】地板に地板受けリングを嵌め合わせた状態を示す展開斜視図である。
【図１０】地板受けリングを嵌め合わせた地板に、アンテナ接続ピンが内包されたケースを収容した状態を示す展開斜視図である。
【図１１】図１０に示す状態から、地板受けリングにおけるアンテナ体の設置部にアンテナ体１１０を設置した状態を示す展開斜視図である。
【図１２】図１１に示す状態から、ソーラーパネルを地板に取り付けた状態を示す展開斜視図である。
【図１３】ソーラーパネルを地板に取り付けた状態を示す平面図である。
【図１４】第１位置Ｐ１（Ｒ１）周辺の拡大斜視図である。
【図１５】第２位置Ｐ２（Ｒ２）周辺の拡大斜視図である。
【図１６】図１２に示す状態から、文字板を地板に取り付けた状態を示す展開斜視図である。
【図１７】文字板を地板に取り付けた状態を示す平面図である。
【図１８】第１位置Ｐ１（Ｒ１）周辺の拡大斜視図である。
【図１９】第２位置Ｐ２（Ｒ２）周辺の拡大斜視図である。
【図２０】ダイヤルリングの外観を示す平面図である。
【図２１】変形例に係る電子時計の外観を示す概略図である。
【発明を実施するための形態】
【００１４】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
＜Ａ：電子時計の概要＞
図１乃至図２０を参照しつつ本発明の一実施形態について説明する。図１は、本発明の一実施形態に係る電子時計を含むＧＰＳの全体図である。まず、電子時計が、外部信号としての電波を用いて、現在地の位置情報と、時刻情報とを求めるＧＰＳの概要を説明する。
【００１６】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の滋養空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００１７】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００１８】
ＧＰＳ衛星８は原子時計を搭載しており、衛星信号は原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメータも含まれている。電子時計１０は、１つのＧＰＳ衛星８から送信された衛星信号を受信し、その中に含まれるＧＰＳ時刻情報と時刻補正パラメータとを使用して得られた正確な時刻（時刻情報）を内部時刻とする。
【００１９】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２０】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２１】
図２及び図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００２２】
文字板１１には、指針２１．２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０及びカレンダー小窓１５などは、カバーガラス３３を透かして、視認可能となっている。
【００２３】
外装ケース３０の側面には、文字板１１の中心により、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４及びリュウズ５０が操作されることにより、操作に応じた操作信号が出力される。
【００２４】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００２５】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００２６】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、及びカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００２７】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００２８】
文字板１１と、駆動機構１４０が取り付けられている地板１２５との間には、光発電を行ソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５及び地板１２５には、指針軸２５と、第１小窓７０の指針７１、第２小窓８０の指針８１及び第３小窓９０の指針９１の指針軸（図示せず）とが貫通する孔が形成されているとともに、カレンダー小窓１５の開口部が形成されている。
【００２９】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００３０】
回路基板１２０は、受信部（ＧＰＳモジュール）１２２、制御部１５０及びリチウムイオン電池などの二次電池１３０を備えている。二次電池１３０は、ソーラーパネル１３５が発電した電力で充電される。また、この回路基板１２０とアンテナ体１１０とは、アンテナ接続ピン１１５を用い接続されている。なお、回路基板１２０の下方には、回路押え１２３が設けられている。
【００３１】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されて、地板受けリング１２６に開口された挿通孔を貫通されて収納空間内へ挿通されている。これにより、回路基板１２０と、収納空間内部のアンテナ体１１０とが、アンテナ接続ピン１１５で接続されている。
＜Ｂ：電子時計の表示機能＞
【００３２】
次に、電子時計１０の表示機能について説明する。図５は、電子時計の外観を示す概略平面図である。
図５に示すように、文字板１１の最外周には、外周を６分割から６０分割する目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００３３】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００３４】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示８３を含む小窓が設けられる位置に応じて、視認しやすい位置に設けることが好ましい。
【００３５】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００３６】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００３７】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図４参照)のパワーインジケーターであり、電池の残量に応じて、指針９１が基端、先端、中間のいずれかを指し示す。
【００３８】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００３９】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指示し、電子時計１０が直前に受信した衛星信号の受信モードを表示する。
【００４０】
カレンダー小窓１５は、文字板１１を矩形状に開口した開口部に設けられており、開口部から数字が視認可能となっている。この数字は、年月日の「日」を表す。
【００４１】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００４２】
上述したように、文字板１１には、６０分割された分及び秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している指針２２，２３，８１で表示されて内部時刻と、ＵＴＣとの時差は、リュウズ５０の操作により指針２１の指し示す時差情報４５で確認することができる。
電子時計１０は、文字板１１に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記をしてもよい。
【００４３】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。現在この標準時を含め、全世界では４０種類のタイムゾーンが存在し、電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００４４】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」北京、「ＴＹＯ」は東京、「ＡＤＬ」はアデレード、「ＳＹＤ」はシドニー、「ＮＯＵ」はネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上とのため、一部の時差情報４５の時差に対応する代表都市名の表記は省略されている。また、代表都市名の表記方法は一例であり、他の方法で表記してもよい。時差情報４５と都市情報３５との表記をタイムゾーン表示４６という。本実施形態では、全世界で使用されているタイムゾーンの数と等しいタイムゾーン表示４６が表記されている。
【００４５】
＜Ｃ：電子時計の電気的構成＞
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とるす制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００４６】
受信部１２２は、アンテナ体１１０を備え、アンテナ体１１０を介して受信した衛星信号を処理してＧＰＳモ時刻情報や位置情報を取得する。アンテナ体１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００４７】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンプ部）と、ＢＢ部で復調された航法メッセージ（衛星信号）からＧＰＳ時刻情報や位置情報（測位情報）を取得して出力する情報取得部とを備えている。つまり、受信部１２２、ＧＰＳ衛星８から送信される衛星信号を受信し、受信結果に基づいてＧＰＳ時刻情報と位置情報とを出力する受信部として機能する。
【００４８】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００４９】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５０】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００５１】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００５２】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図５参照）により内部時刻が表示される。
【００５３】
＜Ｄ：電子時計におけるアンテナ体の切欠き部の構成＞
次に、電子時計１０におけるアンテナ体１１０の切欠き部の構成について説明する。図７は、アンテナ体１１０の平面図である。図７に示すように、本実施形態のアンテナ体１１０はリング状に形成され、アンテナ体１１０の内周には、第１位置Ｐ１、第２位置Ｐ２、第３位置Ｐ３、及び第４位置Ｐ４の４箇所の位置に、切欠き部１１１が備えられている。図７に示すように、アンテナ体１１０の半径方向における切欠き部１１１の奥行きＷ１は、アンテナ体１１０の半径方向における幅Ｗ２の１／２以内になるように設定されている。切欠き部１１１の奥行きＷ１をこのように設定するのは、アンテナ体１１０の上面に設けられる第１アンテナパターン１１２の幅を確保するためである。本実施形態では、第１アンテナパターン１１２の幅を確保しているため、電波を良好に受信することができる。
第１アンテナパターン１１２は、金属またはその他の導電性材料を用いてメッキまたはペースト印刷等を行うことにより形成する。図７に示すように、第１アンテナパターン１１２は、切欠き部１１２ａを有し、リングの一部を切り欠いたＣ形状に形成されている。また、アンテナ体１１０の内周側の側面には、第２アンテナパターン１１３が形成されている。第２アンテナパターン１１３は、第１アンテナパターン１１２と同様に、金属またはその他の導電性材料を用いてメッキまたはペースト印刷等を行うことにより形成する。第２アンテナパターン１１３は、図７に示すように円弧状の素子であり、第１アンテナパターン１１２と一定の間隔を保つように形成されている。第２アンテナパターン１１３の一方の端部には、当該端部と接触するように給電板１１４が配置されており、給電板１１４は、後述するように、アンテナ体１１０の底面側でアンテナ接続ピンと接触する。したがって、給電板１１４と接触する第２アンテナパターン１１３の端部は、アンテナ接続ピン及び給電板１１４を介して給電が行われる給電位置となる。この給電位置から図７に示す左回転方向側には、第２アンテナパターン１１３を所定長さ分だけ確保する必要があり、この所定長さ分の領域に切欠き部１１１を形成することはできない。本実施形態においては、給電位置から左回転方向側に、第２アンテナパターン１１３を所定長さ分だけ確保しているので、電波を良好に受信することができる。
【００５４】
以上のようなアンテナ体１１０の切欠き部１１１には、複数の構造体の固定部が収納される。以下、図８乃至図２０を参照しつつ、アンテナ体１１０の切欠き部１１１と、複数の構造体の固定部との位置関係について説明する。図８は、アンテナ体１１０、文字板１１、ソーラーパネル１３５、地板１２５、及び地板受けリング１２６を示す展開斜視図である。
【００５５】
図８に示すように、アンテナ体１１０の外周には、切欠き部１１０ａが３箇所に形成されており、切欠き部１１０ａにはフランジ部１１０ｂが設けられている。フランジ部１１０ｂと、後述する地板受けリング１２６のフック部１２６ｂとが係合することにより、アンテナ体１１０は地板受けリング１２６に固定される。
【００５６】
文字板１１には、文字板１１を地板１２５に固定するための固定用凸部１１ａ，１１ｂが４箇所に形成されている。また、ソーラーパネル１３５には、ソーラーパネル１３５を地板１２５に固定するための固定用凸部１３５ａ，１３５ｂが４箇所に形成されている。さらに、ソーラーパネル１３５には、ソーラーパネル１３５を地板１２５に固定するためのフランジ１３５ｃが２箇所に形成されている。
【００５７】
地板１２５には、第１固定用凸部１２５ａ及び第２固定用凸部１２５ｂの組が、第１位置Ｒ１、第２位置Ｒ２、第３位置Ｒ３、及び第４位置Ｒ４の４箇所に形成されている。第２固定用凸部１２５ｂは、第１位置Ｒ１、第２位置Ｒ２、及び第４位置Ｒ４においては、それぞれ２つずつ設けられ、第１固定用凸部１２５ａを中心として地板１２５の周方向の両側に、第１固定用凸部１２５ａと所定の間隔を有して配置されている。第３位置Ｒ３においては、１つの第２固定用凸部１２５ｂのみが、第１固定用凸部１２５ａを中心として地板１２５の周方向の一方の側に第１固定用凸部１２５ａと所定の間隔を有して配置されている。そして、第３位置Ｒ３では、ダイヤルリング４０の固定用ピン１２５ｃが設けられたフランジ部１２５ｄが、地板１２５の周方向に延びて形成されている。フランジ部１２５ｄの端部は、第１固定用凸部１２５ａを中心として地板１２５の周方向の第２固定用凸部１２５ｂが配置されていない他方の側において第１固定用凸部１２５ａと所定の間隔を有する位置に設けられている。したがって、前記フランジ部１２５ｄの端部は、もう１つの第２固定用凸部１２５ｂとしての機能を有している。第１位置Ｒ１と第３位置Ｒ３に設けられた固定用ピン１２５ｃは、後述するダイヤルリング４０の孔部と嵌め合わされ、ダイヤルリング４０を固定する。また、地板１２５には、アンテナ接続ピン１１５のケース１１６を収容するケース収容部１２５ｅが形成されている。
【００５８】
地板受けリング１２６は、ソーラーパネル１３５を固定するためのパネルフック部１２６ａと、アンテナ体１１０を固定するためのアンテナ体フック部１２６ｂと、アンテナ接続ピン１１５のケース１１６が挿入されるケース孔１２７とを備えている。
【００５９】
図９は、地板１２５に地板受けリング１２６を嵌め合わせた状態を示す展開斜視図である。図９に示すように、地板１２５に地板受けリング１２６を嵌め合わせることにより、地板受けリング１２６のパネルフック部１２６ａも、地板１２５の周方向において第１固定用凸部１２５ａ及び第２固定用凸部１２５ｂと並ぶようになる。
【００６０】
図１０は、地板受けリング１２６を嵌め合わせた地板１２５に、アンテナ接続ピン１１５が内包されたケース１１６を収容した状態を示す展開斜視図である。図１０に示すように、地板受けリング１２６及び地板１２５に収容されたアンテナ接続ピン１１５の先端は、地板受けリング１２６におけるアンテナ体１１０の設置部に位置することとなり、当該設置部にアンテナ体１１０を設置することにより、アンテナ体１１０に取り付けた給電板１１４（図７参照）とアンテナ接続ピン１１５の先端とが接触するようになる。
【００６１】
図１１は、図１０に示す状態から、地板受けリング１２６におけるアンテナ体１１０の設置部に、アンテナ体１１０を設置した状態を示す展開斜視図である。図１１に示すように、アンテナ体１１０の外周の切欠き部１１０ａに設けられたフランジ部１１０ｂと、地板受けリング１２６のフック部１２６ｂとが係合することにより、アンテナ体１１０は地板受けリング１２６に固定される。
地板受けリング１２６におけるアンテナ体１１０の設置部は、地板１２５の周方向の全域に亘って設けられているが、図９に示すように、第１位置Ｒ１、第２位置Ｒ２、第３位置Ｒ３、及び第４位置Ｒ４には、第１固定用凸部１２５ａ、第２固定用凸部１２５ｂ、固定用ピン１２５ｃ、及びパネルフック部１２６ａが設けられている。
しかしながら、アンテナ体１１０の内周には、第１位置Ｒ１、第２位置Ｒ２、第３位置Ｒ３、及び第４位置Ｒ４のそれぞれに相当する第１位置Ｐ１、第２位置Ｐ２、第３位置Ｐ３、及び第４位置Ｐ４（図７参照）の４箇所に、切欠き部１１１が設けられている。
したがって、図１１に示すように、第１固定用凸部１２５ａ、第２固定用凸部１２５ｂ、固定用ピン１２５ｃ、及びパネルフック部１２６ａは、切欠き部１１１に収容され、アンテナ体１１０の設置の妨げにはならない。
【００６２】
図１２は、図１１に示す状態から、ソーラーパネル１３５を地板１２５に取り付けた状態を示す展開斜視図である。図１３は図１２の状態の平面図である。図１４は第１位置Ｐ１（Ｒ１）周辺の拡大斜視図、図１５は第２位置Ｐ２（Ｒ２）周辺の拡大斜視図である。
図１２及び図１３に示すように、アンテナ体１１０の切欠き部１１１は、アンテナ体１１０の半径方向及び周方向に切欠きが形成されているだけでなく、アンテナ体１１０の上下方向にも切欠きが形成されている。つまり、切欠き部は、アンテナ体１１０の上面から下面までを貫通する切欠き部となっている。したがって、図１１に示すように、地板受けリング１２６上にアンテナ体１１０を先に取り付けた状態であっても、図１２及び図１３に示すように、上方向からソーラーパネル１３５を地板１２５に取り付けることができる。したがって、部品の取り付け順序に対する自由度が高く、生産効率を向上させることができる。また、電子時計においては、電波受信の検査工程が必要になるが、本発明によれば、アンテナ体を早めに取り付けることができ、電波受信の検査工程を早い段階で実施できるという利点がある。
【００６３】
ソーラーパネル１３５を地板１２５に取り付ける際には、地板１２５の第１固定用凸部１２５ａに、ソーラーパネル１３５の固定用凸部１３５ａと固定用凸部１３５ｂの間の凹部を嵌め合わせる。この際、ソーラーパネル１３５の固定用凸部１３５ａは、地板１２５の第１固定用凸部１２５ａと第２固定用凸部１２５ｂに嵌め合わされ、ソーラーパネル１３５の固定用凸部１３５ｂは、地板１２５の第１固定用凸部１２５ａと第２固定用凸部１２５ｂに嵌め合わされることになる。このようにして、ソーラーパネル１３５の周方向の移動が規制されることになる。
このように、ソーラーパネル１３５を地板１２５に取り付けるために、ソーラーパネル１３５の外周に固定用凸部１３５ａと固定用凸部１３５ｂを突出させ、固定用凸部１３５ａと固定用凸部１３５ｂと嵌め合わすための第１固定用凸部１２５ａと第２固定用凸部１２５ｂとを地板１２５に設けている。そして、これらの固定用凸部１３５ａ、固定用凸部１３５ｂ、第１固定用凸部１２５ａ、及び第２固定用凸部１２５ｂにより構成されるソーラーパネル１３５の固定部は、図１３及び図１４に示すように、アンテナ体１１０の切欠き部１１１に収納される。したがって、ソーラーパネル１３５を地板１２５に取り付けると、アンテナ体１１０はソーラーパネル１３５と同平面に並ぶことになるが、アンテナ体１１０の最内周位置を、固定用凸部１３５ａと固定用凸部１３５ｂの先端よりもソーラーパネル１３５の中心部側、すなわち、固定用凸部１３５ａと固定用凸部１３５ｂが突出形成されたソーラーパネル１３５の外周に近接させることができ、電子時計１０の平面方向のサイズを小さくすることができる。
【００６４】
図１３及び図１５に示すように、第２位置Ｐ２及び第４位置Ｐ４においては、ソーラーパネル１３５に形成されたフランジ１３５ｃが、地板受けリング１２６に形成されたパネルフック部１２６ａと係合しており、ソーラーパネル１３５の上方向への移動が規制されている。また、フランジ１３５ｃとパネルフック部１２６ａとにより構成されるソーラーパネル１３５の固定部も、アンテナ体１１０の切欠き部１１１に収納されているため、上述の場合と同様に電子時計１０の平面方向のサイズを小さくすることができる。
【００６５】
図１６は、図１２に示す状態から、文字板１１を地板１２５に取り付けた状態を示す展開斜視図である。図１７は図１２の状態の平面図である。図１８は第１位置Ｐ１（Ｒ１）周辺の拡大斜視図、図１９は第２位置Ｐ２（Ｒ２）周辺の拡大斜視図である。
図１６及び図１７に示すように、アンテナ体１１０の切欠き部１１１は、アンテナ体１１０の半径方向及び周方向に切欠きが形成されているだけでなく、アンテナ体１１０の上下方向にも切欠きが形成されている。したがって、地板受けリング１２６上にアンテナ体１１０を先に取り付け、図１１に示すように、地板１２５にソーラーパネル１３５を取り付けた状態であっても、図１６及び図１７に示すように、上方向から文字板１１を地板１２５に取り付けることができる。したがって、部品の取り付け順序に対する自由度が高く、生産効率を向上させることができる。また、電子時計においては、電波受信の検査工程が必要になるが、本発明によれば、アンテナ体を早めに取り付けることができ、電波受信の検査工程を早い段階で実施できるという利点がある。
【００６６】
文字板１１を地板１２５に取り付ける際には、地板１２５の第１固定用凸部１２５ａに、文字板１１の固定用凸部１１ａと固定用凸部１１ｂの間の凹部を嵌め合わせる。このようにして、文字板１１の周方向の移動が規制されることになる。
このように、文字板１１を地板１２５に取り付けるために、文字板１１の外周に固定用凸部１１ａと固定用凸部１１ｂを突出させ、固定用凸部１１ａと固定用凸部１１ｂの間の凹部を嵌め合わせるための第１固定用凸部１２５ａを地板１２５に設けている。しかしながら、これらの固定用凸部１１ａ、固定用凸部１１ｂ、及び第１固定用凸部１２５ａにより構成される文字板１１の固定部は、図１６乃至図１８に示すように、アンテナ体１１０の切欠き部１１１に収納される。したがって、文字板１１を地板１２５に取り付けると、アンテナ体１１０は文字板１１と同平面に並ぶことになるが、アンテナ体１１０の最内周位置を、固定用凸部１１ａと固定用凸部１１ｂの先端よりも文字板１１の中心部側、すなわち、固定用凸部１１ａと固定用凸部１１ｂが突出形成された文字板１１の外周に近接させることができ、電子時計１０の平面方向のサイズを小さくすることができる。
【００６７】
以上のように、本発明においては、第１の構造体としてのソーラーパネル１３５と、第２の構造体としての文字板１１とを備え、第１の構造体としてのソーラーパネル１３５を固定する第１固定部として、固定用凸部１３５ａ、固定用凸部１３５ｂ、第１固定用凸部１２５ａ、及び第２固定用凸部１２５ｂを備えている。また、第２の構造体としての文字板１１を固定する第２固定部として、固定用凸部１１ａ、固定用凸部１１ｂ、及び第１固定用凸部１２５ａとを備えている。つまり、第１固定用凸部１２５ａが、第１の構造体と第２の構造体の固定部として共通して用いられる。そして、これらの第１固定部及び第２固定部は、アンテナ体１１０の内周に備えられた切欠き部１１１に収納される。したがって、アンテナ体１１０の形状を単純化することができ、電子時計１０を小型化することができる。また、ソーラーパネル１３５とアンテナ体１１０、及び文字板１１とアンテナ体１１０が同平面に並ぶ場合でも、アンテナ体１１０の最内周位置を、第１固定部及び第２固定部の先端よりも第１の構造体及び第２構造体の中心部側に近接させることができ、電子時計１０の平面方向のサイズを小さくすることができる。
【００６８】
図２０は、ダイヤルリング４０を示す平面図である。図２０に示すように、ダイヤルリング４０には、２つの孔部４０ａが形成されている。ダイヤルリング４０を地板１２５にと付ける場合には、ダイヤルリング４０の孔部４０ａを、図１６乃至図１９に示す地板１２５に形成された固定用ピン１２５ｃに嵌め合わす。このようにして、ダイヤルリング４０の周方向への移動が規制される。
【００６９】
図１６、図１７、及び図１９に示すように、ダイヤルリング４０の固定部となる固定用ピン１２５ｃは、アンテナ体１１０の切欠き部１１１に収納される。したがって、固定用ピン１２５ｃとアンテナ体１１０が同平面に並ぶ場合でも、電子時計１０の平面方向のサイズを小さくすることができる。
【００７０】
以上のように、本発明においては、ソーラーパネル１３５及び文字板１１の固定部だけでなく、第３の構造体としてのダイヤルリング４０の固定部（第３固定部）も同じ切欠き部１１１に収納に収納するので、多数の部品が取り付けられる電子時計１０の平面方向のサイズを小さくすることができる。
【００７１】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００７２】
（変形例１）
図２１は、変形例に係る電子時計の外観を示す概略図である。
上記実施形態では、図５のように、電子時計１０はクロノグラフ機能を有しているもの
として説明したが、この構成に限定するものではない。
以下、変形例に係る電子時計２００について説明する。なお、実施形態と同一の構成部
位については、同一の符号を附し、重複する説明は省略する。
【００７３】
図２０に示すように、文字板１２の外周には、外周を６０分割にする目盛が表記されてい
る。この目盛を用いて、指針２２，２３，２４は内部時計の時刻を表示する。
文字板１２には、視認性のよい、中心より３時の方向に矩形のカレンダー小窓１６が設
けられている。カレンダー小窓１６は、文字板１２を開口して設けられており、開口部か
ら数字が視認可能となっている。この数字は、年月日の「日」を表す。
【００７４】
文字板１２には、６０分割された分および秒を表示する目盛が刻まれ、文字板１２の周
囲に設けられている外周部には、この目盛に沿って、全世界で使用されている４０種類の
タイムゾーン表示４６が表記されている。指針２２，２３，２４で表示された内部時刻の
タイムゾーンは、リュウズ５０の操作により指針２４の指し示すタイムゾーン表示４６で
確認することができる。
【００７５】
以上述べたように、本変形例に係る電子時計２００においても、ソーラーパネル、文字板１２、及びダイヤルリング４０を地板に取り付けるが、上述した実施形態と同様に、これらの固定部はアンテナ体の切欠き部に収納されるので、電子時計２００の平面方向のサイズを小さく抑えることができる。
【００７６】
（変形例２）
上述した実施形態においては、アンテナ体の切欠き部を４箇所に設けたが、本発明はこのような構成に限定されるものではない。切欠き部は４箇所よりも少なくてもよく、また、４箇所よりも多くてもよい。また、上述したソーラーパネル、文字板、及びダイヤルリングの固定部の態様も一例であり、適宜変更可能である。さらに、上述した実施形態では、構造体としてソーラーパネル、文字板、及びダイヤルリングを用いた例について説明したが、本発明はこのような構成に限定されるものではない。リング状のアンテナ体との間で平面方向の位置関係が互いに影響し得る他の構造体の固定部に対しても適用可能である。
【００７７】
（変形例３）
上述した実施形態及び各変形例においては、本発明をアナログ式の電子時計に適用したが、本発明は、デジタル式の電子時計、クオーツウォッチ、置き時計、あるいは、掛け時計等に適用可能である。
【符号の説明】
【００７８】
１０…電子時計、１１…文字板、１１ａ，１１ｂ…固定用凸部、１２…文字板、４０…ダイヤルリング、４０ａ…孔部、１１０…アンテナ体、１１１…切欠き部、１１２…第１アンテナパターン、１１３…第２アンテナパターン、１１４…給電板、１１５…アンテナ接続ピン、１１６…ケース、１２５…地板、１２５ａ…第１固定用凸部、１２５ｂ…第２固定用凸部、１２５ｃ…固定用ピン、１２５ｄ…フランジ部、１２６…地板受けリング、１２６ａ…パネルフック部、１２６ｂ…アンテナ体フック部、１３５…ソーラーパネル、１３５ａ…固定用凸部、１３５ｂ…固定用凸部、１３５ｃ…フランジ、２００…電子時計。
【図１】
2015169609.tif 000003
【図２】
2015169609.tif 000004
【図３】
2015169609.tif 000005
【図４】
2015169609.tif 000006
【図５】
2015169609.tif 000007
【図６】
2015169609.tif 000008
【図７】
2015169609.tif 000009
【図８】
2015169609.tif 000010
【図９】
2015169609.tif 000011
【図１０】
2015169609.tif 000012
【図１１】
2015169609.tif 000013
【図１２】
2015169609.tif 000014
【図１３】
2015169609.tif 000015
【図１４】
2015169609.tif 000016
【図１５】
2015169609.tif 000017
【図１６】
2015169609.tif 000018
【図１７】
2015169609.tif 000019
【図１８】
2015169609.tif 000020
【図１９】
2015169609.tif 000021
【図２０】
2015169609.tif 000022
【図２１】
2015169609.tif 000023